【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
オーディオ信号を処理する方法であって、
前記オーディオ信号内で前記オーディオ信号の第１のフレームに後続する、前記オーディオ信号の第２のフレームに対する決定メトリックの少なくとも１つの値を計算することと、
前記決定メトリックの前記少なくとも１つの計算された値に基づいて、複数の再割振り候補の中の１つを選択することと、を備え、
ここにおいて、前記計算された少なくとも１つの値が、前記第２のフレームの圧縮率の尺度に基づき、
ここにおいて、前記選択された再割振り候補が、前記第２のフレームに対する初期ビット割振りの第１の部分および第２の部分への再割振りを示す、方法。
【請求項２】
前記方法が、前記第１のフレームが前記オーディオ信号のクリティカルフレームであると判断することを含む、請求項１に記載の方法。
【請求項３】
前記第１のフレームがクリティカルフレームであると前記判断することが、前記オーディオ信号内の前記第１のフレームに後続する、前記オーディオ信号のフレームの符号化されたバージョンからの情報に基づく、請求項２に記載の方法。
【請求項４】
前記符号化されたバージョンが、前記第２のフレームの符号化されたバージョンである、請求項３に記載の方法。
【請求項５】
前記判断することが、クリティカリティ尺度とクリティカリティ閾値とを比較することを含む、請求項２に記載の方法。
【請求項６】
前記判断することが、送信チャネルの状態に関する情報に基づいて前記クリティカリティ閾値を計算することを含む、請求項５に記載の方法。
【請求項７】
前記クリティカリティ閾値を前記計算することが、
前記送信チャネルの前記状態に関する前記情報に基づく計算された値と境界値とを比較することと、
前記境界値と前記比較することの結果に応答して、前記境界値を前記クリティカリティ閾値として選択することとを含む、請求項６に記載の方法。
【請求項８】
圧縮率の前記尺度が、前記第２のフレームのサブフレームの間の相関を示す、請求項１に記載の方法。
【請求項９】
前記複数の再割振り候補の中の１つを前記選択することが、前記決定メトリックの計算された値と、順序付けられた複数の決定閾値の各々とを比較することを含み、
ここにおいて、前記順序付けられた複数の決定閾値の各々が、前記複数の再割振り候補の中の異なる１つに対応する、請求項１に記載の方法。
【請求項１０】
前記方法が、前記決定メトリックの複数の値を計算することを備え、各値が、前記オーディオ信号内で前記第１のフレームに後続する前記オーディオ信号の異なるフレームに対応し、
ここにおいて、前記決定メトリックの前記複数の値の各々が、前記対応するフレームの圧縮率の尺度に基づき、
ここにおいて、前記方法が、前記決定メトリックの前記複数の値のうちの少なくともいくつかに基づいて、前記異なるフレームの中から前記第２のフレームを選択することを備える、請求項１に記載の方法。
【請求項１１】
前記決定メトリックの前記計算された少なくとも１つの値が、前記決定メトリックの計算された値のセットを含み、前記計算された値のセットの各々が、前記複数の再割振り候補のうちの異なる１つに対応する、請求項１に記載の方法。
【請求項１２】
前記計算された値のセットの各々が、前記複数の再割振り候補のうちの前記対応する１つに関連する知覚品質の尺度に基づく、請求項１１に記載の方法。
【請求項１３】
圧縮率の前記尺度が、前記第２のフレームの符号化されたバージョンからの情報に基づく、請求項１１に記載の方法。
【請求項１４】
前記少なくとも１つの計算された値が、異なる符号化レートに対する前記第２のフレームの知覚品質の尺度間の関係に基づく、請求項１１に記載の方法。
【請求項１５】
前記少なくとも１つの計算された値が、（Ａ）前記初期ビット割振りに対する前記第２のフレームの圧縮率の尺度と、（Ｂ）前記複数の再割振り候補のうちの前記対応する１つに対する前記第２のフレームの圧縮率の尺度との間の関係に基づく、請求項１１に記載の方法。
【請求項１６】
前記決定メトリックの前記計算された少なくとも１つの値が、前記決定メトリックの計算された値の複数のセットを含み、前記複数のセットの各々が、前記オーディオ信号内で前記第１のフレームに後続する前記オーディオ信号の異なるフレームに対応し、各セット内で、各値が前記複数の再割振り候補のうちの異なる１つに対応する、請求項１に記載の方法。
【請求項１７】
各セット内で、各値が、前記複数の再割振り候補のうちの前記対応する１つに関連する知覚品質の尺度に基づく、請求項１６に記載の方法。
【請求項１８】
各セット内で、各値が、前記対応するフレームの符号化されたバージョンからの情報に基づく、請求項１６に記載の方法。
【請求項１９】
前記方法が、前記複数のセットのうちの少なくともいくつかの計算された値に基づいて、前記異なるフレームの中から前記第２のフレームを選択することを備える、請求項１６に記載の方法。
【請求項２０】
前記方法が、前記複数の再割振り候補の中の１つを前記選択することに応答して、前記第１のフレームの冗長コピーと前記第２のフレームのコピーとを含むパケットを作成することを備え、
ここにおいて、前記第２のフレームの前記コピーが前記第１の部分に符号化され、
ここにおいて、前記冗長コピーが前記第２の部分に符号化される、請求項１に記載の方法。
【請求項２１】
オーディオ信号を処理するための装置であって、
前記オーディオ信号内で前記オーディオ信号の第１のフレームに後続する、前記オーディオ信号の第２のフレームに対する決定メトリックの少なくとも１つの値を計算するための手段と、
前記決定メトリックの前記少なくとも１つの計算された値に基づいて、複数の再割振り候補の中の１つを選択するための手段とを備え、
ここにおいて、前記計算された少なくとも１つの値が、前記第２のフレームの圧縮率の尺度に基づき、
ここにおいて、前記選択された再割振り候補が、前記第２のフレームに対する初期ビット割振りの第１の部分および第２の部分への再割振りを示す、装置。
【請求項２２】
前記装置が、前記第１のフレームが前記オーディオ信号のクリティカルフレームであると判断するための手段を含む、請求項２１に記載の装置。
【請求項２３】
前記第１のフレームがクリティカルフレームであると前記判断することが、前記オーディオ信号内の、前記第１のフレームに後続する前記オーディオ信号のフレームの符号化されたバージョンからの情報に基づく、請求項２２に記載の装置。
【請求項２４】
圧縮率の前記尺度が、前記第２のフレームのサブフレームの間の相関を示す、請求項２１に記載の装置。
【請求項２５】
前記決定メトリックの少なくとも１つの値を計算するための前記手段が、前記決定メトリックの複数の値を計算するように構成され、各値が、前記オーディオ信号内で前記第１のフレームに後続する前記オーディオ信号の異なるフレームに対応し、
ここにおいて、前記決定メトリックの前記複数の値の各々が、前記対応するフレームの圧縮率の尺度に基づき、
ここにおいて、前記装置が、前記決定メトリックの前記複数の値のうちの少なくともいくつかに基づいて、前記異なるフレームの中から前記第２のフレームを選択するための手段を備える、請求項２１に記載の装置。
【請求項２６】
前記決定メトリックの前記計算された少なくとも１つの値が、前記決定メトリックの計算された値のセットを含み、前記計算された値のセットの各々が、前記複数の再割振り候補のうちの異なる１つに対応し、
ここにおいて、前記計算された値のセットの各々が、前記複数の再割振り候補のうちの前記対応する１つに関連する知覚品質の尺度に基づく、請求項２１に記載の装置。
【請求項２７】
前記決定メトリックの前記計算された少なくとも１つの値が、前記決定メトリックの計算された値のセットを含み、前記計算された値のセットの各々が、前記複数の再割振り候補のうちの異なる１つに対応し、
ここにおいて、前記少なくとも１つの計算された値が、異なる符号化レートに対する前記第２のフレームの知覚品質の尺度間の関係に基づく、請求項２１に記載の装置。
【請求項２８】
前記装置が、前記複数の再割振り候補の中の１つを前記選択することに応答して、前記第１のフレームの冗長コピーと前記第２のフレームのコピーを含むパケットを作成するための手段を備え、
ここにおいて、前記第２のフレームの前記コピーが前記第１の部分に符号化され、
ここにおいて、前記冗長コピーが前記第２の部分に符号化される、請求項２１に記載の装置。
【請求項２９】
オーディオ信号を処理するための装置であって、
前記オーディオ信号内で前記オーディオ信号の第１のフレームに後続する、前記オーディオ信号の第２のフレームに対する決定メトリックの少なくとも１つの値を計算するように構成された計算器と、
前記決定メトリックの前記少なくとも１つの計算された値に基づいて、複数の再割振り候補の中の１つを選択するように構成された選択器とを備え、
ここにおいて、前記計算された少なくとも１つの値が、前記第２のフレームの圧縮率の尺度に基づき、
ここにおいて、前記選択された再割振り候補が、前記第２のフレームに対する初期ビット割振りの第１の部分および第２の部分への再割振りを示す、装置。
【請求項３０】
前記装置が、前記第１のフレームが前記オーディオ信号のクリティカルフレームであると判断するように構成されたクリティカルフレームインジケータを含む、請求項２９に記載の装置。
【請求項３１】
前記第１のフレームがクリティカルフレームであると前記判断することが、前記オーディオ信号内の、前記第１のフレームに後続する前記オーディオ信号のフレームの符号化されたバージョンからの情報に基づく、請求項３０に記載の装置。
【請求項３２】
圧縮率の前記尺度が、前記第２のフレームのサブフレームの間の相関を示す、請求項２９に記載の装置。
【請求項３３】
前記計算器が、前記決定メトリックの複数の値を計算するように構成され、各値が、前記オーディオ信号内で前記第１のフレームに後続する前記オーディオ信号の異なるフレームに対応し、
ここにおいて、前記決定メトリックの前記複数の値の各々が、前記対応するフレームの圧縮率の尺度に基づき、
ここにおいて、前記選択器が、前記決定メトリックの前記複数の値のうちの少なくともいくつかに基づいて、前記異なるフレームの中から前記第２のフレームを選択するように構成される、請求項２９に記載の装置。
【請求項３４】
前記決定メトリックの前記計算された少なくとも１つの値が、前記決定メトリックの計算された値のセットを含み、前記計算された値のセットの各々が、前記複数の再割振り候補のうちの異なる１つに対応し、
ここにおいて、前記計算された値のセットの各々が、前記複数の再割振り候補のうちの前記対応する１つに関連する知覚品質の尺度に基づく、請求項２９に記載の装置。
【請求項３５】
前記決定メトリックの前記計算された少なくとも１つの値が、前記決定メトリックの計算された値のセットを含み、前記計算された値のセットの各々が、前記複数の再割振り候補のうちの異なる１つに対応し、
前記少なくとも１つの計算された値が、異なる符号化レートに対する前記第２のフレームの知覚品質の尺度間の関係に基づく、請求項２９に記載の装置。
【請求項３６】
前記装置が、前記複数の再割振り候補の中の１つを前記選択することに応答して、前記第１のフレームの冗長コピーと前記第２のフレームのコピーとを含むパケットを作成するように構成されたパケットアセンブラを備え、
ここにおいて、前記第２のフレームの前記コピーが前記第１の部分に符号化され、
ここにおいて、前記冗長コピーが前記第２の部分に符号化される、請求項２９に記載の装置。
【請求項３７】
有形な特徴を有する非一時的コンピュータ可読データ記憶媒体であって、前記有形な特徴が、前記特徴を読み取る機械に、
オーディオ信号内で前記オーディオ信号の第１のフレームに後続する、前記オーディオ信号の第２のフレームに対する決定メトリックの少なくとも１つの値を計算することと、
前記決定メトリックの前記少なくとも１つの計算された値に基づいて、複数の再割振り候補の中の１つを選択することと
を実行させ、
ここにおいて、前記計算された少なくとも１つの値が、前記第２のフレームの圧縮率の尺度に基づき、
ここにおいて、前記選択された再割振り候補が、前記第２のフレームに対する初期ビット割振りの第１の部分および第２の部分への再割振りを示す、
非一時的コンピュータ可読データ記憶媒体。
【請求項３８】
前記媒体が、前記特徴を読み取る機械に、前記第１のフレームが前記オーディオ信号のクリティカルフレームであると判断させる有形な特徴を含み、
ここにおいて、前記第１のフレームがクリティカルフレームであると前記判断することが、前記オーディオ信号内の前記第１のフレームに後続する、前記オーディオ信号のフレームの符号化されたバージョンからの情報に基づく、請求項３７に記載の媒体。
【請求項３９】
圧縮率の前記尺度が、前記第２のフレームのサブフレームの間の相関を示す、請求項３７に記載の媒体。
【請求項４０】
前記媒体が、前記特徴を読み取る機械に、前記複数の再割振り候補の中の１つを前記選択することに応答して、前記第１のフレームの冗長コピーと前記第２のフレームのコピーとを含むパケットを作成させる有形な特徴を備え、
ここにおいて、前記第２のフレームの前記コピーが前記第１の部分に符号化され、
ここにおいて、前記冗長コピーが前記第２の部分に符号化される、請求項３７に記載の媒体。
【手続補正２】
【補正対象書類名】明細書
【補正対象項目名】０１７２
【補正方法】変更
【補正の内容】
【０１７２】
[00220]本明細書で説明した装置の一実装形態の１つまたは複数の要素は、装置が組み込まれているデバイスまたはシステムの別の動作に関係するタスクなど、装置の動作に直接関係しないタスクを実施し、あるいは装置の動作に直接関係しない命令の他のセットを実行するために使用することが可能である。また、そのような装置の実装形態の１つまたは複数の要素は、共通の構造（たとえば、異なる要素に対応するコードの部分を異なる時間に実行するために使用されるプロセッサ、異なる要素に対応するタスクを異なる時間に実施するために実行される命令のセット、あるいは、異なる要素向けの動作を異なる時間に実行する電子デバイスおよび／または光デバイスの構成）を有することが可能である。
以下に本願出願当初の特許請求の範囲を付記する。
[Ｃ１]  オーディオ信号を処理する方法であって、
前記オーディオ信号内で前記オーディオ信号の第１のフレームに後続する、前記オーディオ信号の第２のフレームに対する決定メトリックの少なくとも１つの値を計算することと、
前記決定メトリックの前記少なくとも１つの計算された値に基づいて、複数の再割振り候補の中の１つを選択することとを備え、
前記計算された少なくとも１つの値が、前記第２のフレームの圧縮率の尺度に基づき、
前記選択された再割振り候補が、前記第２のフレームに対する初期ビット割振りの第１の部分および第２の部分への再割振りを示す、方法。
[Ｃ２]  前記方法が、前記第１のフレームが前記オーディオ信号のクリティカルフレームであると判断することを含む、Ｃ１に記載の方法。
[Ｃ３]  前記第１のフレームがクリティカルフレームであると前記判断することが、前記オーディオ信号内の前記第１のフレームに後続する、前記オーディオ信号のフレームの符号化されたバージョンからの情報に基づく、Ｃ２に記載の方法。
[Ｃ４]  前記符号化されたバージョンが、前記第２のフレームの符号化されたバージョンである、Ｃ３に記載の方法。
[Ｃ５]  前記判断することが、クリティカリティ尺度とクリティカリティ閾値とを比較することを含む、Ｃ２から４のいずれか一項に記載の方法。
[Ｃ６]  前記判断することが、送信チャネルの状態に関する情報に基づいて前記クリティカリティ閾値を計算することを含む、Ｃ５に記載の方法。
[Ｃ７]  前記クリティカリティ閾値を前記計算することが、
前記送信チャネルの前記状態に関する前記情報に基づく計算された値と境界値とを比較することと、
前記境界値と前記比較することの結果に応答して、前記境界値を前記クリティカリティ閾値として選択することとを含む、Ｃ６に記載の方法。
[Ｃ８]  圧縮率の前記尺度が、前記第２のフレームのサブフレームの間の相関を示す、Ｃ１から７のいずれか一項に記載の方法。
[Ｃ９]  前記複数の再割振り候補の中の１つを前記選択することが、前記決定メトリックの計算された値と、順序付けられた複数の決定閾値の各々とを比較することを含み、
前記順序付けられた複数の決定閾値の各々が、前記複数の再割振り候補の中の異なる１つに対応する、Ｃ１から８のいずれか一項に記載の方法。
[Ｃ１０]  前記方法が、前記決定メトリックの複数の値を計算することを備え、各値が、前記オーディオ信号内で前記第１のフレームに後続する前記オーディオ信号の異なるフレームに対応し、
前記決定メトリックの前記複数の値の各々が、前記対応するフレームの圧縮率の尺度に基づき、
前記方法が、前記決定メトリックの前記複数の値のうちの少なくともいくつかに基づいて、前記異なるフレームの中から前記第２のフレームを選択することを備える、Ｃ１から９のいずれか一項に記載の方法。
[Ｃ１１]  前記決定メトリックの前記計算された少なくとも１つの値が、前記決定メトリックの計算された値のセットを含み、前記計算された値のセットの各々が、前記複数の再割振り候補のうちの異なる１つに対応する、Ｃ１から７のいずれか一項に記載の方法。
[Ｃ１２]  前記計算された値のセットの各々が、前記複数の再割振り候補のうちの前記対応する１つに関連する知覚品質の尺度に基づく、Ｃ１１に記載の方法。
[Ｃ１３]  圧縮率の前記尺度が、前記第２のフレームの符号化されたバージョンからの情報に基づく、Ｃ１１または１２に記載の方法。
[Ｃ１４]  前記少なくとも１つの計算された値が、異なる符号化レートに対する前記第２のフレームの知覚品質の尺度間の関係に基づく、Ｃ１１から１３のいずれか一項に記載の方法。
[Ｃ１５]  前記少なくとも１つの計算された値が、（Ａ）前記初期ビット割振りに対する前記第２のフレームの圧縮率の尺度と、（Ｂ）前記複数の再割振り候補のうちの前記対応する１つに対する前記第２のフレームの圧縮率の尺度との間の関係に基づく、Ｃ１１から１４のいずれか一項に記載の方法。
[Ｃ１６]  前記決定メトリックの前記計算された少なくとも１つの値が、前記決定メトリックの計算された値の複数のセットを含み、前記複数のセットの各々が、前記オーディオ信号内で前記第１のフレームに後続する前記オーディオ信号の異なるフレームに対応し、各セット内で、各値が前記複数の再割振り候補のうちの異なる１つに対応する、Ｃ１から７のいずれか一項に記載の方法。
[Ｃ１７]  各セット内で、各値が、前記複数の再割振り候補のうちの前記対応する１つに関連する知覚品質の尺度に基づく、Ｃ１６に記載の方法。
[Ｃ１８]  各セット内で、各値が、前記対応するフレームの符号化されたバージョンからの情報に基づく、Ｃ１６または１７に記載の方法。
[Ｃ１９]  前記方法が、前記複数のセットのうちの少なくともいくつかの計算された値に基づいて、前記異なるフレームの中から前記第２のフレームを選択することを備える、Ｃ１６から１８のいずれか一項に記載の方法。
[Ｃ２０]  前記方法が、前記複数の再割振り候補の中の１つを前記選択することに応答して、前記第１のフレームの冗長コピーと前記第２のフレームのコピーとを含むパケットを作成することを備え、
前記第２のフレームの前記コピーが前記第１の部分に符号化され、
前記冗長コピーが前記第２の部分に符号化される、Ｃ１から１９のいずれか一項に記載の方法。
[Ｃ２１]  オーディオ信号を処理するための装置であって、
前記オーディオ信号内で前記オーディオ信号の第１のフレームに後続する、前記オーディオ信号の第２のフレームに対する決定メトリックの少なくとも１つの値を計算するための手段と、
前記決定メトリックの前記少なくとも１つの計算された値に基づいて、複数の再割振り候補の中の１つを選択するための手段とを備え、
前記計算された少なくとも１つの値が、前記第２のフレームの圧縮率の尺度に基づき、
前記選択された再割振り候補が、前記第２のフレームに対する初期ビット割振りの第１の部分および第２の部分への再割振りを示す、装置。
[Ｃ２２]  前記装置が、前記第１のフレームが前記オーディオ信号のクリティカルフレームであると判断するための手段を含む、Ｃ２１に記載の装置。
[Ｃ２３]  前記第１のフレームがクリティカルフレームであると前記判断することが、前記オーディオ信号内の、前記第１のフレームに後続する前記オーディオ信号のフレームの符号化されたバージョンからの情報に基づく、Ｃ２２に記載の装置。
[Ｃ２４]  前記符号化されバージョンが、前記第２のフレームの符号化されたバージョンである、Ｃ２３に記載の装置。
[Ｃ２５]  前記判断することが、クリティカリティ尺度とクリティカリティ閾値とを比較することを含む、Ｃ２２から２４のいずれか一項に記載の装置。
[Ｃ２６]  前記判断することが、送信チャネルの状態に関連する情報に基づいて前記クリティカリティ閾値を計算することを含む、Ｃ２５に記載の装置。
[Ｃ２７]  前記クリティカリティ閾値を前記計算することが、
前記送信チャネルの前記状態に関連する前記情報に基づく計算された値と境界値とを比較することと、
前記境界値と前記比較することの結果に応答して、前記境界値を前記クリティカリティ閾値として選択することとを含む、Ｃ２６に記載の装置。
[Ｃ２８]  圧縮率の前記尺度が、前記第２のフレームのサブフレームの間の相関を示す、Ｃ２１から２７のいずれか一項に記載の装置。
[Ｃ２９]  前記複数の再割振り候補の中の１つを前記選択することが、前記決定メトリックの計算された値と、順序付けられた複数の決定閾値の各々とを比較することを含み、
前記順序付けられた複数の決定閾値の各々が、前記複数の再割振り候補の中の異なる１つに対応する、Ｃ２１から２８のいずれか一項に記載の装置。
[Ｃ３０]  前記決定メトリックの少なくとも１つの値を計算するための前記手段が、前記決定メトリックの複数の値を計算するように構成され、各値が、前記オーディオ信号内で前記第１のフレームに後続する前記オーディオ信号の異なるフレームに対応し、
前記決定メトリックの前記複数の値の各々が、前記対応するフレームの圧縮率の尺度に基づき、
前記装置が、前記決定メトリックの前記複数の値のうちの少なくともいくつかに基づいて、前記異なるフレームの中から前記第２のフレームを選択するための手段を備える、Ｃ２１から２９のいずれか一項に記載の装置。
[Ｃ３１]  前記決定メトリックの前記計算された少なくとも１つの値が、前記決定メトリックの計算された値のセットを含み、前記計算された値のセットの各々が、前記複数の再割振り候補のうちの異なる１つに対応する、Ｃ２１から２７のいずれか一項に記載の装置。
[Ｃ３２]  前記計算された値のセットの各々が、前記複数の再割振り候補のうちの前記対応する１つに関連する知覚品質の尺度に基づく、Ｃ３１に記載の装置。
[Ｃ３３]  圧縮率の前記尺度が、前記第２のフレームの符号化されたバージョンからの情報に基づく、Ｃ３１または３２に記載の装置。
[Ｃ３４]  前記少なくとも１つの計算された値が、異なる符号化レートに対する前記第２のフレームの知覚品質の尺度間の関係に基づく、Ｃ３１から３３のいずれか一項に記載の装置。
[Ｃ３５]  前記少なくとも１つの計算された値が、（Ａ）前記初期ビット割振りに対する前記第２のフレームの圧縮率の尺度と、（Ｂ）前記複数の再割振り候補のうちの前記対応する１つに対する前記第２のフレームの圧縮率の尺度との間の関係に基づく、Ｃ３１から３４のいずれか一項に記載の装置。
[Ｃ３６]  前記決定メトリックの前記計算された少なくとも１つの値が、前記決定メトリックの計算された値の複数のセットを含み、前記複数のセットの各々が、前記オーディオ信号内で前記第１のフレームに後続する前記オーディオ信号の異なるフレームに対応し、各セット内で、各値が前記複数の再割振り候補のうちの異なる１つに対応する、Ｃ２１から２７のいずれか一項に記載の装置。
[Ｃ３７]  各セット内で、各値が、前記複数の再割振り候補のうちの前記対応する１つに関連する知覚品質の尺度に基づく、Ｃ３６に記載の装置。
[Ｃ３８]  各セット内で、各値が、前記対応するフレームの符号化されたバージョンからの情報に基づく、Ｃ３６または３７に記載の装置。
[Ｃ３９]  前記装置が、前記複数のセットのうちの少なくともいくつかの計算された値に基づいて、前記異なるフレームの中から前記第２のフレームを選択するための手段を備える、Ｃ３６から３８のいずれか一項に記載の装置。
[Ｃ４０]  前記装置が、前記複数の再割振り候補の中の１つを前記選択することに応答して、前記第１のフレームの冗長コピーと前記第２のフレームのコピーを含むパケットを作成するための手段を備え、
前記第２のフレームの前記コピーが前記第１の部分に符号化され、
前記冗長コピーが前記第２の部分に符号化される、Ｃ２１から３９のいずれか一項に記載の装置。
[Ｃ４１]  オーディオ信号を処理するための装置であって、
前記オーディオ信号内で前記オーディオ信号の第１のフレームに後続する、前記オーディオ信号の第２のフレームに対する決定メトリックの少なくとも１つの値を計算するように構成された計算器と、
前記決定メトリックの前記少なくとも１つの計算された値に基づいて、複数の再割振り候補の中の１つを選択するように構成された選択器とを備え、
前記計算された少なくとも１つの値が、前記第２のフレームの圧縮率の尺度に基づき、
前記選択された再割振り候補が、前記第２のフレームに対する初期ビット割振りの第１の部分および第２の部分への再割振りを示す、装置。
[Ｃ４２]  前記装置が、前記第１のフレームが前記オーディオ信号のクリティカルフレームであると判断するように構成されたクリティカルフレームインジケータを含む、Ｃ４１に記載の装置。
[Ｃ４３]  前記第１のフレームがクリティカルフレームであると前記判断することが、前記オーディオ信号内の、前記第１のフレームに後続する前記オーディオ信号のフレームの符号化されたバージョンからの情報に基づく、Ｃ４２に記載の装置。
[Ｃ４４]  前記符号化されたバージョンが、前記第２のフレームの符号化されたバージョンである、Ｃ４３に記載の装置。
[Ｃ４５]  前記判断することが、クリティカリティ尺度とクリティカリティ閾値とを比較することを含む、Ｃ４２から４４のいずれか一項に記載の装置。
[Ｃ４６]  前記判断することが、送信チャネルの状態に関連する情報に基づいて前記クリティカリティ閾値を計算することを含む、Ｃ４５に記載の装置。
[Ｃ４７]  前記クリティカリティ閾値を前記計算することが、
前記送信チャネルの前記状態に関連する前記情報に基づく計算された値と境界値とを比較することと、
前記境界値と前記比較することの結果に応答して、前記境界値を前記クリティカリティ閾値として選択することとを含む、Ｃ４６に記載の装置。
[Ｃ４８]  圧縮率の前記尺度が、前記第２のフレームのサブフレームの間の相関を示す、Ｃ４１から４７のいずれか一項に記載の装置。
[Ｃ４９]  前記複数の再割振り候補の中の１つを前記選択することが、前記決定メトリックの計算された値と、順序付けられた複数の決定閾値の各々とを比較することを含み、
前記順序付けられた複数の決定閾値の各々が、前記複数の再割振り候補の中の異なる１つに対応する、Ｃ４１から４８のいずれか一項に記載の装置。
[Ｃ５０]  前記計算器が、前記決定メトリックの複数の値を計算するように構成され、各値が、前記オーディオ信号内で前記第１のフレームに後続する前記オーディオ信号の異なるフレームに対応し、
前記決定メトリックの前記複数の値の各々が、前記対応するフレームの圧縮率の尺度に基づき、
前記選択器が、前記決定メトリックの前記複数の値のうちの少なくともいくつかに基づいて、前記異なるフレームの中から前記第２のフレームを選択するように構成される、Ｃ４１から４９のいずれか一項に記載の装置。
[Ｃ５１]  前記決定メトリックの前記計算された少なくとも１つの値が、前記決定メトリックの計算された値のセットを含み、前記計算された値のセットの各々が、前記複数の再割振り候補のうちの異なる１つに対応する、Ｃ４１から４７のいずれか一項に記載の装置。
[Ｃ５２]  前記計算された値のセットの各々が、前記複数の再割振り候補のうちの前記対応する１つに関連する知覚品質の尺度に基づく、Ｃ５１に記載の装置。
[Ｃ５３]  圧縮率の前記尺度が、前記第２のフレームの符号化されたバージョンからの情報に基づく、Ｃ５１または５２に記載の装置。
[Ｃ５４]  前記少なくとも１つの計算された値が、異なる符号化レートに対する前記第２のフレームの知覚品質の尺度間の関係に基づく、Ｃ５１から５３のいずれか一項に記載の装置。
[Ｃ５５]  前記少なくとも１つの計算された値が、（Ａ）前記初期ビット割振りに対する前記第２のフレームの圧縮率の尺度と、（Ｂ）前記複数の再割振り候補のうちの前記対応する１つに対する前記第２のフレームの圧縮率の尺度との間の関係に基づく、Ｃ５１から５４のいずれか一項に記載の装置。
[Ｃ５６]  前記決定メトリックの前記計算された少なくとも１つの値が、前記決定メトリックの計算された値の複数のセットを含み、前記複数のセットの各々が、前記オーディオ信号内で前記第１のフレームに後続する前記オーディオ信号の異なるフレームに対応し、各セット内で、各値が前記複数の再割振り候補のうちの異なる１つに対応する、Ｃ４１から４７のいずれか一項に記載の装置。
[Ｃ５７]  各セット内で、各値が、前記複数の再割振り候補のうちの前記対応する１つに関連する知覚品質の尺度に基づく、Ｃ５６に記載の装置。
[Ｃ５８]  各セット内で、各値が、前記対応するフレームの符号化されたバージョンからの情報に基づく、Ｃ５６または５７に記載の装置。
[Ｃ５９]  前記選択器が、前記複数のセットのうちの少なくともいくつかの計算された値に基づいて、前記異なるフレームの中から前記第２のフレームを選択するように構成される、Ｃ５６から５８のいずれか一項に記載の装置。
[Ｃ６０]  前記装置が、前記複数の再割振り候補の中の１つを前記選択することに応答して、前記第１のフレームの冗長コピーと前記第２のフレームのコピーとを含むパケットを作成するように構成されたパケットアセンブラを備え、
前記第２のフレームの前記コピーが前記第１の部分に符号化され、
前記冗長コピーが前記第２の部分に符号化される、Ｃ４１から５９のいずれか一項に記載の装置。
[Ｃ６１]  有形な特徴を有する非一時的コンピュータ可読データ記憶媒体であって、前記有形な特徴が、前記特徴を読み取る機械に、Ｃ１から２０のいずれか一項に記載の方法を実行させる、非一時的コンピュータ可読データ記憶媒体。